(57)【要約】      （修正有）【課題】複数の送風ユニットを縦方向又は横方向に任意の台数を連結接続し使用でき、且つ各々の送風ユニットを取り外して単独でも使用できるようにして、冬場の収納時のスペースの確保を容易化した連結扇風機を提供する。【解決手段】複数の送風ユニットを有する扇風機において、各々の送風ユニットは電源入力部と電源出力部を有し、他の送風ユニット或いは外部電源からの電源入力を受け送風を行うことを可能とするとともに、当該電源を電源出力部から出力できる構造とする。【選択図】図２
0003182181.tif 000002
【実用新案登録請求の範囲】
【請求項１】
複数の送風ユニットを有する扇風機において、各々の送風ユニットは電源入力部と電源出力部を有し、他の送風ユニット或いは外部電源からの電源入力を受け送風を行うことを可能とするとともに、当該電源を電源出力部から出力できる構造を有することにより、複数の送風ユニットを縦方向又は横方向に任意の台数を連結接続し使用でき、且つ各々の送風ユニットを取り外して単独でも使用できることを特徴とした連結扇風機。
【請求項２】
各々の送風ユニットは、電源を直接或いは間接的に受ける構造を有するとともに、電源や風量の調節或いはタイマーによる自動停止機能などの制御の一部或いは全てを行う機構を各々の送風ユニット毎に有することで、送風ユニットを単独でも使用できることを可能として、且つ連結接続した際には各送風ユニット毎に制御を行えることを特徴とした請求項１記載の連結扇風機。
【請求項３】
送風ユニットを連結接続することが出来る構造の制御ユニットを有し、送風ユニットを接続した際に電源や風量の調節或いはタイマーによる自動停止機能などの制御の一部或いは全てを集中して行うことを可能とすることを特徴とした請求項１記載の連結扇風機。
【請求項４】
送風ユニットを縦方向に連結接続する際には垂直軸に対して、横方向に連結接続する際には水平軸に対して左右或いは上下の任意の角度にて固定或いは自由にまわることを可能とし、各送風ユニットを異なる方向に向けた状態で送風を可能とすることを特徴とした請求項１記載の連結扇風機。
【請求項５】
各送風ユニットの連結接続又は送風ユニットと制御ユニットの連結接続において、電源入力部と電源出力部は接続面に対して一方が凸形状に、一方が凹形状となるが、各送風ユニット或いは制御ユニットの縦方向の接続であれば上面及び底面、横方向の接続であれば左右側面の一方において電源入力部或いは電源出力部のうち凸形状となる方へ位置規定用の凹部を、もう一方へ凸部を設けるとともに、位置規定用の凹部の深さを電源入力部或いは電源出力部の凸形状の高さよりも深く設定することにより、電源入力部或いは電源出力部の凸形状が、送風ユニット或いは制御ユニットから突起状に飛び出すことがなく、連結接続時及び収納時の破損を防ぐことを特徴とした請求項１記載の連結扇風機。
【考案の詳細な説明】
【技術分野】
【０００１】  本考案は、扇風機の構造に関するものである。
【背景技術】
【０００２】  扇風機は主に夏場に使用され冬場には収納されることが多いが、近年の住宅事情等により、一般家庭で大きな収納場所を確保することが難しいため、扇風機の一部のユニットなどを分割し収納できるようにした構成が提案されている（特許文献１参照）。【０００３】
【特許文献１】特許公開２００２−９６８９０
【考案の開示】
【考案が解決しようとする課題】
【０００４】  居室だけでなく寝室や洗面所等への扇風機の設置を考えた場合、例えば就寝時には居室等に設置されている扇風機を使用する必要はなく、或いは洗面所に設置されている扇風機の使用時間は短いものと想定がされるが、主に居室等での利用を想定した扇風機は大型であったり重かったりするため、例えば寝室などでの利用のために扇風機を移動させることは現実的ではなく、居室等での用途とは別に寝室や子供部屋などでの使用を想定した小型の扇風機を使用場所や使い方に応じて複数台購入する必要があるため結果として収納スペースを確保することが難しくなっている。
【考案を解決するための手段】
【０００５】  請求項１にかかる本考案の連結扇風機では、複数の送風ユニットを有する扇風機において、各々の送風ユニットは電源入力部と電源出力部を有し、他の送風ユニット或いは外部電源からの電源入力を受け送風を行うことを可能とするとともに、当該電源を電源出力部から出力できる構造を有することにより、複数の送風ユニットを縦方向又は横方向に任意の台数を連結接続し使用でき、且つ各々の送風ユニットを取り外して単独でも使用できることを特徴とした連結扇風機。
【０００６】  各々の送風ユニットは、電源を直接或いは間接的に受ける構造を有するとともに、電源や風量の調節或いはタイマーによる自動停止機能などの制御の一部或いは全てを行う機構を各々の送風ユニット毎に有することで、送風ユニットを単独でも使用できることを可能として、且つ連結接続した際には各送風ユニット毎に制御を行えることを特徴とした請求項１記載の連結扇風機。
【０００７】  送風ユニットを連結接続することが出来る構造の制御ユニットを有し、送風ユニットを接続した際に電源や風量の調節或いはタイマーによる自動停止機能などの制御の一部或いは全てを集中して行うことを可能とすることを特徴とした請求項１記載の連結扇風機。
【０００８】  送風ユニットを縦方向に連結接続する際には垂直軸に対して、横方向に連結接続する際には水平軸に対して左右或いは上下の任意の角度にて固定或いは自由にまわることを可能とし、各送風ユニットを異なる方向に向けた状態で送風を可能とすることを特徴とした請求項１記載の連結扇風機。
【０００９】  各送風ユニットの連結接続又は送風ユニットと制御ユニットの連結接続において、電源入力部と電源出力部は接続面に対して一方が凸形状に、一方が凹形状となるが、各送風ユニット或いは制御ユニットの縦方向の接続であれば上面及び底面、横方向の接続であれば左右側面の一方において電源入力部或いは電源出力部のうち凸形状となる方へ位置規定用の凹部を、もう一方へ凸部を設けるとともに、位置規定用の凹部の深さを電源入力部或いは電源出力部の凸形状の高さよりも深く設定することにより、電源入力部或いは電源出力部の凸形状が、送風ユニット或いは制御ユニットから突起状に飛び出すことがなく、連結接続時及び収納時の破損を防ぐことを特徴とした請求項１記載の連結扇風機。
【考案の効果】
【００１０】  請求項１にかかる本考案の連結扇風機では、複数の送風ユニットからなる扇風機とすることで、複数の送風ユニットを連結させることにより居室等で利用する大型タイプとなり、送風ユニットを取り外して単独で使用することにより寝室等で利用する小型タイプとして使用することが出来ため、１台の扇風機を複数個に分けて各々同時に使うことが出来るだけでなく、収納時には各送風ユニットを取り外して収納をすることが出来る。
【００１１】  請求項２にかかる本考案の連結扇風機では、送風ユニットを単独で使用する際に、送風ユニットに制御部を保有させることにより、寝室等での使用の際にも風量調整やタイマー機能などの機能を有することが出来る。
【００１２】  請求項３にかかる本考案の連結扇風機では、送風ユニットを連結接続させて使用する際に、風量調節やタイマー機能などの機能を集中して行う制御ユニットを提供することで、使用者の操作方法を容易にすることが出来る。
【００１３】  請求項４にかかる本考案の連結扇風機では、送風ユニットを連結接続させて使用する際に、送風ユニットの取り付け方向を任意に変更することでより広範囲へ風を送ることを可能とする。
【００１４】  請求項５にかかる本考案の連結扇風機は、送風ユニット或いは制御ユニットの電源入力部又は電源出力部は接続面に対して一方が凸形状に、一方が凹形状となるが、凸形状を送風ユニット或いは制御ユニットより突起させない構造とすることで、接続時や収納時の破損を防ぐことが出来る。
【考案を実施するための最良の形態】
【００１５】  以下、本考案の実施の形態を図面を参照しつつ説明する。【００１６】  図１は、本考案の実施の形態に係る連結扇風機の接続部の概要構造図であり、同図（Ａ）はａ送風ユニット２台をｂ制御ユニットに縦方向に接続した場合の構造図であり、同図（Ｂ）Ｂはａ送風ユニットの内部拡大図である。【００１７】  図１（Ｂ）において、ａ送風ユニットの下面に配置されたｂ電源入力部より入力された電源は、ｅ内部配線により分岐され、一方でｆモータを駆動させｇファンを回転させ送風を行うと同時に、他方でａ送風ユニットの上面に配置された電源出力部ｃへ電源を送る構造である。【００１８】図１（Ｂ）においては、ｅ内部配線により分岐を行っているが、分岐の方法としては、例えば端子台を使用したり、風量などを調節するための制御基板などを使用して分岐することも考えられる。【００１９】  図１（Ａ）において、ａ送風ユニットを接続することで、一方のａ送風ユニットの上面に配置されたｃ電源入力部より他方のａ送風ユニットの下面に配置されたｂ電源入力部へ電源を送ることが可能となる。【００２０】  外部からの電源供給は最下部となるａ送風ユニットへ直接入力することも可能であるが、図１（Ａ）に示すように最下部にｄ制御ユニットを配置し電源供給を行うと同時に、連結接続されたａ送風ユニット全体の制御を行うことが出来る。【００２１】  図２は本考案の実施の形態に係る連結扇風機の全体概念図であり、同図（Ａ）はｄ制御ユニットの上にａ送風ユニットを３つ連結接続させた状態であり、同図（Ｂ）は同図（Ａ）のａ送風ファン１つを取り外し、残った２つのａ送風ユニット及びｄ制御ユニットと取り外したａ送風ユニットをｈ小型制御部へ接続した概念図である。【００２２】  図２（Ｂ）においては取り外したａ送風ユニットはｄ小型制御ユニットへ接続しているが、ｄ小型制御ユニットへ接続せずにａ送風ユニット単体でも使用することも考えられる。【００２３】  図３は本考案の実施の形態に係る連結扇風機の接続方向の概念図であり、例えばａ送風ユニットを３つ接続した場合に、接続の方向を変えることでａ送風ユニット毎に送風の方向を変えて設置することが出来る。【００２４】  図１、図２及び図３においては、実施の形態としてクロスフローファンを用いた縦型の扇風機の形状を例として説明を行ったが、同様の構造にてファンの形状を変えることで、例えば送風部分が丸型の扇風機を連結接続させたり、あるいは横向きに連結接続することも可能である。
【図面の簡単な説明】
【００２５】
【図１】連結扇風機の接続部の概要構造図
【図２】連結扇風機の全体概念図
【図３】連結扇風機の接続方向の概念図
【図４】連結扇風機の接続部の断面図
【符号の説明】
【００２６】ａ  ：  送風ユニット
ｂ  ：  電源入力部
ｃ  ：  電源出力部
ｄ  ：  制御ユニット
ｅ  ：  内部配線
ｆ  ：  モーター
ｇ  ：  ファン
ｈ  ：  小型制御ユニット
ｉ  ：  電源入力部の断面
ｊ  ：  電源出力部の断面
ｋ  ：  位置規定用凹部
Ｌ  ：  位置規定用凸部
【図１】
0003182181.tif 000003
【図２】
0003182181.tif 000004
【図３】
0003182181.tif 000005
【図４】
0003182181.tif 000006